(57)【要約】【課題】  折りたたまれた座部の裏側に強力な磁力の磁石によって固定されたテーブル部を、座部を軽く引くだけではずすことができる折畳座席を提供する。【解決手段】  この折畳座席１は、座部１４１の裏面であって、折り畳まれた座部１４１の下端に磁石３が取り付けられている。そしてこの磁石３にメモ台部２００を構成するテーブル部４００が固定される。このようにすると、座部１４１より下方のカマチ１３１に磁石を配置した場合よりも、磁石１３１ａの位置が主軸部３００の支点に近いので、磁石１３１ａとして強力な磁力の磁石を使用しても、座部１４１を軽く引くだけでテーブル部４００を座部１４１から簡単にはずすことができる。一方、このように強力な磁力の磁石を磁石１３１ａとして用いているので、折畳座席１を寝かせて収納しているとき、メモ台部２００が開いて破損することが防止される。【選択図】  図２
2005204737.tif 000002
【特許請求の範囲】
【請求項１】
背もたれ部及び座部からなり、前記座部は、人が着座できるように開いた使用位置から前記背もたれ部側に折りたたまれた折畳位置まで前記背もたれ部の下部あるいは下部近傍を支点に回動可能に構成された座席部と、
前記座席部を起立させた起立位置から、折り畳んだ前記座席部を、前記座部を下側にして寝かせた収納位置まで、前記座席部を床部に対し回動可能に支持する支持手段と、
主軸部及びテーブル部からなり、前記主軸部は、一端が前記座席部の側部に回動可能に支持され、遊端側に取り付けられた前記テーブル部を、前記座部に座った人の前方のメモ書き可能なメモ位置から、折り畳まれた前記座部の裏面に対向する対向位置まで回動し、また、前記テーブル部は、前記主軸部の軸周りに回動可能に支持され、前記メモ位置あるいは前記対向位置から、前記主軸部がその一端側を支点に軸回転するときの回転面に該テーブル部の表面が略平行になる移動位置まで回動するよう構成されたメモ台部と、
を備える折畳座席において、
前記座部の裏面に取り付けられた第１磁着部と、
前記対向位置に配置された前記テーブル部の裏面であって、前記第１吸着部に対向する位置に配置された、前記第１磁着部と磁着可能な第２磁着部と
を備えることを特徴とする折畳座席。
【請求項２】
背もたれ部及び座部からなり、前記座部は、人が着座できるように開いた使用位置から前記背もたれ部側に折りたたまれた折畳位置まで前記背もたれ部の下部を支点に回動可能に構成された座席部と、
主軸部及びテーブル部からなり、前記主軸部は、一端が前記座席部の側部に回動可能に支持され、遊端側に取り付けられた前記テーブル部を、前記座部に座った人の前方のメモ書き可能なメモ位置から、折り畳まれた前記座部の裏面に対向する対向位置まで回動し、また、前記テーブル部は、前記主軸部の軸周りに回動可能に支持され、前記メモ位置あるいは前記対向位置から、前記主軸部がその一端側を支点に軸回転するときの回転面に該テーブル部の表面が略平行になる移動位置まで回動するよう構成されたメモ台部と、
を備え、
前記メモ台部は、
前記テーブル部が、前記移動位置から前記メモ位置あるいは前記対向位置に向かって前記主軸の周りに軸回転するよう付勢する付勢手段と、
前記主軸部が、一端側を支点に回転する回転力を抑制する回転抑制手段と、
を備える折畳座席において、
前記対向位置に配置されたときの前記テーブル部の近傍であって、該テーブル部より前記主軸部の支点側に設けられ、前記主軸部が前記メモ位置側から前記対向位置側に向かって回転するときに前記テーブル部の裏面に当接すると共に、前記主軸部の回転に伴って移動する前記テーブル部を送る回転部が先端に備えられた突起部
を備えることを特徴とする折畳座席。
【請求項３】
請求項２記載の折畳座席において、
前記座部の裏面に取り付けられた第１磁着部と、
前記対向位置に配置された前記テーブル部の裏面であって、前記第１吸着部に対向する位置に配置された、前記第１磁着部と磁着可能な第２磁着部と
を備えることを特徴とする折畳座席。
【請求項４】
請求項１あるいは３記載の折畳座席において、
前記第１磁着部は、前記座部の下端に取り付けられたことを特徴とする折畳座席。
【発明の詳細な説明】
【技術分野】
【０００１】
本発明は、メモ台部を備える折畳座席に関する。
【背景技術】
【０００２】
従来より、体育館等には、壁面に対し出し入れ可能な移動観覧座席１００が備えられている。尚、以下の説明では、移動観覧席が壁面から引き出される方向を前方、その反対側を後方とする。
【０００３】
この移動観覧座席１００は、図３（ａ）に示すように、伸縮台車１１０を備えており、この伸縮台車１１０は、大きい台車の内側に順次小さい台車を配する構造を有し、最も内側の台車１１０ａを前方側に引き出すと、図３（ｂ）に示すように、外側の台車１１０ｂ〜ｄが順次引き出されるよう構成されている。また、この移動観覧座席１００は、各台車１１０ａ〜ｄの上方に台座１２０ａ〜ｄ（本発明の床部に相当）を備えており、各台座１２０ａ〜ｄは、前方側に引き出される台車１１０ａ〜ｄほど、台車１１０ａ〜ｄからの高さが低い位置に配置されている。具体的には、図３（ａ）に示すように、台座１２０ａは、台車１１０ａ上に重ねて配置されているが、台座１２０ｂは、折り畳まれて横倒しにされた後述する折畳座席１３０ａを台座１２０ａ、１２０ｂの間に収納可能な高さに配置され、台座１２０ｃは、折畳座席１３０ｂを台座１２０ｂ、１２０ｃの間に収納可能な高さに配置され、さらに台座１２０ｄは、折畳座席１３０ｃを台座１２０ｃ、１２０ｄの間に収納可能な高さに配置されている。また、各台座１２０の後方側上面には土台部１２１が形成され、この土台部１２１は、台座１２０の長さ方向（図３の紙面に垂直な方向）に沿って設置されている。
【０００４】
折畳座席１３０は、図４に示すように、台座１２０の長さ方向に沿って設置されたカマチ１３１を備えている。カマチ１３１は、図３（ｂ）の折畳座席１３０ｂを参照すると分かるように、このカマチ１３１に取り付けられた後述する座席部１４０（図４参照）を起立させた起立位置から、座部１４１（図４参照）を下側にして座席部１４０を寝かせた収納位置まで回動するよう、土台部１２１に対し回動可能に支持されている。そして、このカマチ１３１には、図４に示すように、その長さ方向に沿ってイスフレーム１５０が等間隔に立設され、その間に座席部１４０が１脚ずつ、合計３脚備えられている。また各折畳座席１３０の直下のカマチ１３１の前方側端面には、磁石１３１ａが取り付けられている。この座席部１４０は、座部１４１と背もたれ部１４２とを備えており、座部１４１は、背もたれ部１４２の下部を支点に、人が着座できるように開いた使用位置から背もたれ部１４２側に折り畳まれた折畳位置まで回動するよう両側のイスフレーム１５０に対し回動可能に支持されている。また、背もたれ部１４２も、下端部を支点に、台座１２０に対し後方に傾斜した位置から垂直に立つ位置まで回動するよう両側のイスフレーム１５０に回動可能に支持されている。このように形成された座席部１４０は、図５に示すように、使用するときは、座部１４１を使用位置に配置し、背もたれ部１４２を台座１２０に対し後方に傾斜させて、いわゆる開いた状態にして使用する。一方、使用しないときは、座部１４１を折畳位置に回動し、背もたれ部１４２を起こして、いわゆる折りたたんだ状態にする。
【０００５】
次に、折畳座席１３０に備えられたイスフレーム１５０及びメモ台部２００について説明する。
イスフレーム１５０は、図６に示すように、カマチ１３１に直接取り付けられ、幅広な本体部１５１と、この本体部１５１の上辺部から上方に向かって立設されたアーム部１５２とを備えている。そして、このアーム部１５２の上端には、前後方向に水平に取り付けられた肘掛部１５３を備えている。この肘掛部１５３は、その長手方向に沿った左側の側面の中央下部に設けられた軸穴と、アーム部１５２の上端に設けられた軸穴と、後述するメモ板ブラケット３０１に設けられた軸穴にネジＮ１が通され、アーム部１５２及びメモ板ブラケット３０１とともにネジＮ１によってネジ止めされている。また、肘掛部１５３は、アーム部１５２対して回転可能にネジ止めされている。そして、この肘掛部１５３は、その上面がほぼ水平に配置されたとき、背もたれ部１４２内を通してカマチ１３１と平行に設けられている補助材１４４（図５参照）に、肘掛部１５３の後方下面に設けられた凹部１５３ａが嵌合して、略水平に固定される。
【０００６】
メモ台部２００は、図４に示すように、各座席部１４０の右側（図４の左側）の各イスフレーム１５０のアーム部１５２の上端外側に取り付けられ、図５に示すように、各イスフレーム１５０を支点として回動可能に取り付けられている。
【０００７】
このメモ台部２００は、図６に示すように、主に主軸部３００と、テーブル部４００とからなる。
主軸部３００は、後述するメモ板ステー３０３等を回動可能に取り付けるための取付部３０１ａと、この取付部３０１ａの前方側の下方に一体に形成され、アーム部１５２の前方側に嵌合するよう略コ字状に形成された把持部３０１ｂとを有するメモ板ブラケット３０１を備えている。このメモ板ブラケット３０１は、把持部３０１ｂをアーム部１５２の前方に嵌合させて、把持部３０１ｂの左側をネジＮ２、Ｎ３を螺入させてアーム部１５２に固定し、さらに把持部３０１ｂの右側を、アーム部１５２を貫通してアーム部１５２の右側に達したネジＮ１を螺入させてアーム部１５２に固定している。
【０００８】
このメモ板ブラケット３０１の右側には、円盤状に形成されたベースプレート３０２がネジＮ４及びＮ５にネジ止めされている。このベースプレート３０２は、メモ板ステー３０３をスムーズに摺動させるためのものである。
【０００９】
メモ板ステー３０３は、角部が丸められた略直角三角形状に形成され、底辺側の左面には、ベースプレート３０２と同心円状に形成され、ベースプレート３０３上を摺動する摺動面３０３ａが形成されている。また、底辺に垂直な辺３０３ｂの先端部には、この辺３０３ｂに沿って設けられた軸受筒部３０３ｃが形成されている。さらにこの軸受筒部３０３ｃ先端の左側にはストッパ３０３ｄが形成されている。
【００１０】
メモ板ステー３０３の右側には管座３０４が設置されている。そして管座３０４の右側にはブレードシャフト３０５が設けられている。このブレードシャフト３０５は、円盤状に形成された本体部３０５ａの左側端面に、本体部３０５ａと同心状に形成された軸部３０５ｂが形成されており、ベースプレート３０２、メモ板ステー３０３、管座３０４には、軸部３０５ｂが貫通可能な貫通孔がそれぞれ形成されている。
【００１１】
このブレードシャフト３０５の右側には、ロータリーダンパー３０６が設置され、ロータリーダンパー３０６の本体部は、メモ板ステー３０３に固定されている。ブレードシャフト３０５の右側には、このロータリーダンパー３０６の中軸に嵌合する図示しない嵌合突起が形成されている。この嵌合突起により、ロータリーダンパー３０６の中軸はブレードシャフト３０５に固定される。
【００１２】
そして、このロータリーダンパー３０６の右側には、ロータリーダンパー３０６を覆ってメモ板ステー３０３にネジＮ６、Ｎ７，Ｎ８によって固定されるダンパーカバー３０７が備えられている。
【００１３】
このように構成された主軸部３００は、ベースプレート３０２、メモ板ステー３０３、管座３０４の貫通孔に、ブレードシャフト３０５の軸部３０５ｂを通し、ネジＮ９でブレードシャフト３０５の軸部３０５ｂをメモ板ブラケット３０１に固定する。するとメモ板ステー３０３は、ベースプレート３０２と管座３０４とに回動可能に挟まれ、軸部３０５ｂ周りに回動する。すなわち、メモ板ステー３０３は、一端が座席部（座部１４１及び背もたれ部１４２）１４０の側部に回動可能に支持される。このように支持されたメモ板ステー３０３は、遊端側に取り付けられた後述するテーブル部４００を、座部１４１に座った人の前方のメモ書き可能なメモ位置から、折り畳まれた座部１４１の裏面に対向する対向位置まで回動可能に支持する。
【００１４】
また、メモ板ステー３０３には、ロータリーダンパー３０６の本体部が固定されており、この主軸部３００では、ロータリーダンパー３０６の中軸が固定され、ロータリーダンパー３０６の本体部が中軸に対し回転するようにされている。そのため、メモ板ステー３０３が回転すると、ロータリーダンパー３０６が回転方向とは逆方向に一定のトルクをメモ板ステー３０３に与えてその回動を抑制し、メモ板ステー３０３が勢いよく回転することを防止している。
【００１５】
次に、テーブル部４００は、メモ用紙等を置いて筆記可能な面積を有する略四角形状のメモ板本体４１０ａと、このメモ板本体４１０ａの一辺の端部から延設された袖部４１０ｂとを有し、全体に略Ｌ字形状に形成された本体部４１０を備えている。またこのメモ板本体４１０ａと袖部４１０ｂとが連続する辺４１０ｃに沿って、第１軸受筒部４２０ａと第２軸受筒部４２０ｂとが、軸受筒部３０３ｃを配置可能な距離だけ離して配置されている。また袖部４１０ｂの裏面及び、メモ板本体４１０ａの袖部４１０ｂに隣接する部分の裏面には、Ｌ字状に形成された補強材４３０が積層されている。また、メモ板本体４１０ａの裏面であって、磁石１３１ａに対向する位置には、鉄板４４０が取り付けられている。
【００１６】
また、このテーブル部４００は、メモ板ステー３０３の軸受筒部３０３ｃ及びバネ部４６０を、第１軸受筒部４２０ａと第２軸受筒部４２０ｂとの間に配置し、これら軸受筒部３０３ｃ，４２０ａ，４２０ｂとバネ部４６０に軸４５０を通し、テーブル部４００が軸４５０の軸周りに回動するよう主軸部３００のメモ板ステー３０３に取り付けられている。
【００１７】
また、第１軸受筒部４２０ａと第２軸受筒部４２０ｂとが、軸受筒部３０３ｃに対向する側の開口部には、軸４５０を挿通可能な円筒状に形成され、一端にフランジを有するキャップ４７０ａ、４７０ｂが挿入される。
【００１８】
さらに、第１軸受筒部４２０ａ外側の開口部は、軸４５０が挿入された後、ネジ４８０が螺入されて閉じられる。尚、第２軸受筒部４２０ｂの外側の端部は閉じられている。
このように構成されたテーブル部４００は、主軸部３００の軸周り、具体的には軸４５０の軸周りにメモ板ステー３０３に対し回動可能に支持され、メモ位置あるいは対向位置から、主軸部３００がその一端側を支点に軸回転するときの回転面にテーブル部４００の表面が略平行になる移動位置まで回動する。
【００１９】
また、テーブル部４００が、移動位置からメモ位置あるいは対向位置に向かって主軸部３００の周りに軸回転するようバネ部４６０が付勢している。
以上のように構成されたメモ台部２００は、使用するときは、バネ部４６０の付勢力によりテーブル部４００を主軸部３００周りに、ストッパー３０３ｄに回転が規制される位置まで回転させ、この回転が規制されたテーブル部４１０の袖部４１０ｂが肘掛部１５３の上に載るように設置する。すると、テーブル部４１０の本体部４１０ａが座部１４１に座った人の前で略水平に設置される。そのため、座部１４１に座った人はテーブル部４１０の本体部４１０ａ上でメモ書き等の書き物をすることができる。
【００２０】
このメモ台部２００が不要な場合は、図４（ｂ）の最も左の折畳座席１３０のように、テーブル部４１０を持ち上げればよい。このようにすると、メモ台部２００は、図５に示すように、主軸部３００が下方に向かって回転するとともに、テーブル部４００が移動位置まで回転して起立し、その後テーブル部４００が肘掛部１５３の外側を通って、主軸部３００の遊端側が一端側の直下に達する直下位置まで回動する。このとき、主軸部３００は、ロータリーダンパー３０６により回転力が抑制され、直下位置まで所定の速さでゆっくり回転して移動する。
【００２１】
そしてこのとき、図５に示すように、座部１４１が開いているときは、テーブル部４００が、座部１４１により主軸部３００回りに回転することが規制され、移動位置に位置したまま収納位置まで回転する。しかし、座部１４１が閉じているときは、肘掛部１５３を越えると（図５の符号αの状態からすぐ下方に下がった２の状態）、テーブル部４００がバネ部４６０の付勢力により回転して、図４（ｂ）の右端の折畳座席１３０のように、テーブル部４００が座部１４１の裏面に対向する対向位置に移動する。
【００２２】
このとき、前述したように、カマチ１３１に磁石１３１ａが備えられているので、テーブル部４００の裏面に取り付けられた鉄板４４０とが互いに引き付けあい、テーブル部４００は、カマチ１３１に固定される。
【特許文献１】実開昭６２−６６５４０号公報
【発明の開示】
【発明が解決しようとする課題】
【００２３】
ところで、従来の折畳座席１３０では、テーブル部４００を固定する磁石１３１ａをカマチ１３１に取り付けていたため、テーブル部４００が固定される点と、主軸部３００が回動可能に支持される点とが遠く、折畳座席１３０を収納位置に寝かせたときに、対向位置にたたまれたテーブル部４００が座部１４１から離れてしまう恐れがあった。そのため、磁石１３１ａは強力な磁力のものが使われている。
【００２４】
そして、この強力な磁石１３１ａによって対向位置に固定されたテーブル部４００をはずす場合、座部１４１を手前に引っ張ればテーブル部４００が座部１４１に押され、テーブル部４００をカマチ１３１からはずすことができる。
【００２５】
しかし、従来の折畳座席１３０では、磁石１３１ａが取り付けられたカマチ１３１からメモ台部２００の回転中心までの距離が遠いため、座部１４１を強く引かないとテーブル部４００がはずれず、力の弱いお年寄りや女性子供の場合、テーブル部４００をはずせないために折畳座席１３０に座れないことがあるという問題があった。
【００２６】
そこで本発明では、上述した問題点を解決し、折りたたまれた座部の裏側に強力な磁石によって固定されたテーブル部を、座部を軽く引くだけではずすことができる折畳座席を提供することを目的とする。
【課題を解決するための手段】
【００２７】
上述した問題点を解決するためになされた請求項１に記載の発明は、背もたれ部及び座部からなり、前記座部は、人が着座できるように開いた使用位置から前記背もたれ部側に折りたたまれた折畳位置まで前記背もたれ部の下部あるいは下部近傍を支点に回動可能に構成された座席部と、前記座席部を起立させた起立位置から、折り畳んだ前記座席部を、前記座部を下側にして寝かせた収納位置まで、前記座席部を床部に対し回動可能に支持する支持手段と、主軸部及びテーブル部からなり、前記主軸部は、一端が前記座席部の側部に回動可能に支持され、遊端側に取り付けられた前記テーブル部を、前記座部に座った人の前方のメモ書き可能なメモ位置から、折り畳まれた前記座部の裏面に対向する対向位置まで回動し、また、前記テーブル部は、前記主軸部の軸周りに回動可能に支持され、前記メモ位置あるいは前記対向位置から、前記主軸部がその一端側を支点に軸回転するときの回転面に該テーブル部の表面が略平行になる移動位置まで回動するよう構成されたメモ台部と、を備える折畳座席において、前記座部の裏面に取り付けられた第１磁着部と、前記対向位置に配置された前記テーブル部の裏面であって、前記第１磁着部に対向する位置に配置された第２磁着部とを備えることを特徴とする。
【００２８】
このように構成された折畳座席では、従来の折畳座席に比べて、メモ台部の回転中心により近い座部の裏面に第１磁着部を備えているので、従来の折畳座席に比べて、少し力をかけるだけで、テーブル部が座部から外れる。従って、本発明の折畳座席は、第１磁着部あるいは第２磁着部として強力な磁石を使用してテーブル部を座部に固定しても、軽く座部を引くだけでテーブル部を座部からはずすことができ、力の弱いお年寄り等でも気軽に利用することができる。
【００２９】
ところで、背もたれ部及び座部からなり、前記座部は、人が着座できるように開いた使用位置から前記背もたれ部側に折りたたまれた折畳位置まで前記背もたれ部の下部を支点に回動可能に構成された座席部と、主軸部及びテーブル部からなり、前記主軸部は、一端が前記座席部の側部に回動可能に支持され、遊端側に取り付けられた前記テーブル部を、前記座部に座った人の前方のメモ書き可能なメモ位置から、折り畳まれた前記座部の裏面に対向する対向位置まで回動し、また、前記テーブル部は、前記主軸部の軸周りに回動可能に支持され、前記メモ位置あるいは前記対向位置から、前記主軸部がその一端側を支点に軸回転するときの回転面に該テーブル部の表面が略平行になる移動位置まで回動するよう構成されたメモ台部と、を備え、前記メモ台部は、前記テーブル部が、前記移動位置から前記メモ位置あるいは前記対向位置に向かって前記主軸の周りに軸回転するよう付勢する付勢手段と、前記主軸部が、一端側を支点に回転する回転力を抑制する回転抑制手段と、を備える折畳座席がある。
【００３０】
この折畳座席の場合、座部が折りたたまれた折畳座席のメモ台部をたたむために、メモ位置にあるテーブル部を対向位置に移動するとき、座部を折りたたむためにメモ位置にあるテーブル部を起して移動位置に移動させている。するとメモ台部は、主軸部の一端側を支点に遊端側が下方に回転し、その際、テーブル部は付勢手段により主軸部の軸周りに回転し、主軸部が下がりきったときにテーブル部が対向位置に位置する。
【００３１】
しかし、主軸部が下がりきる前にテーブル部が主軸部の軸周りに回転しすぎると、主軸部の一端側の支点を通る回転軸からテーブル部の重心までの距離が近くなってしまい、主軸部が勢いよく下がらないようにする回転抑制手段の働きのために、メモ台部は主軸部が下方に完全に下がるだけの十分なトルクを得られないという問題があった。
【００３２】
そのため、本願発明では、前記対向位置に配置されたときの前記テーブル部の近傍であって、該テーブル部より前記主軸部の支点側に設けられ、前記主軸部が前記メモ位置側から前記対向位置側に向かって回転するときに前記テーブル部の裏面に当接すると共に、前記主軸部の回転に伴って移動する前記テーブル部を送る回転部が先端に備えられた突起部を備えている。
【００３３】
この折畳座席では、主軸部が下がりきるまでは、突起部によってテーブル部が主軸部の軸周りに回転することが規制され、しかも、回転部がテーブル部に当接して、下方に向かって移動しているテーブル部を送っているので、摩擦によって主軸部が下方に下がる回転力を規制する力も働かないので、主軸部が下方に完全に下がるだけの十分なトルクを得ることができる。
【００３４】
また、この折畳座席では、下がりきるとテーブル部は突起部が当接しなくなるので、付勢手段によりテーブル部を軸回転させて、突起部により回転が規制された位置から対向位置まで移動させることができる。
【００３５】
従って、本発明の折畳座席を用いると、メモ位置から移動位置に起すだけで、テーブル部が対向位置移動するようメモ台部を確実に移動させることができる。
尚、この対向位置まで移動させたテーブル部を座部の裏面に固定するため、前記座部の裏面に取り付けられた第１磁着部と、前記対向位置に配置された前記テーブル部の裏面であって、前記第１吸着部に対向する位置に配置された、前記第１磁着部と磁着可能な第２磁着部とを備えていてもよいことはもちろんである。
【００３６】
また、第１磁着部は、前記座部の下端に取り付けられていることが好ましい。
【発明を実施するための最良の形態】
【００３７】
以下、本発明を実施するための最良の形態について図面を用いて説明する。
図１は、移動観覧座席に複数段設けられた折畳座席のうち、ある一段の折畳座席の説明図であって、（ａ）は折畳座席の平面図、（ｂ）は前方から見た正面図である。図２は、メモ台部の分解斜視図である。
【００３８】
尚、以下の説明においては、背景技術の欄で説明した移動観覧座席と同じ構成については同じ符号を用いて説明し、その説明は省略する。
本実施形態の折畳座席１は、図１及び図２に示すように、座部１４１の裏面であって、折り畳まれた座部１４１の下端に磁石３が取り付けられ、さらに、メモ台部２００のテーブル部４００が対向位置に配置されたとき、テーブル部４００の裏面の磁石３に対向する位置に鉄板７が配置されている点が、背景技術に記載された折畳座席１３０とは異なる。
【００３９】
このように構成された折畳座席１では、従来の折畳座席に比べてテーブル部４００の回転中心により近い、座部１４１の裏面に磁石３を備えているので、軽く座部１４１を引くだけでテーブル部４００を座部１４１からはずすことができる。
【００４０】
また、本実施形態のように構成すると、より強力な磁石を使用することができるので、座席部１４０を畳んで折畳座席１を収納位置に倒したとき、多少の振動を加えてもテーブル部４００が外れて床に打ち付けられるなどして破損することを防止することができる。
【００４１】
次に、本実施形態の折畳座席１は、図１及び図２に示すように、アーム部１５２に突起部５を備えている点が、背景技術に記載された折畳座席１３０とは異なる。
この突起部５は、メモ台部２００のテーブル部４００が対向位置に配置されたときの袖部４１０ｂの近傍であって、袖部４１０ｂより主軸部３００の支点側、すなわち袖部４１０ｂの上方近傍に設けられている。具体的には、この突起部５は、図２に示すように、把持部３０１ｂに取り付けられており、把持部３０１ｂから前方に突設されている。また、この突起部５の先端には、主軸部３００がメモ位置側から対向位置側に向かって回転するときに袖部４１０ｂの裏面に当接すると共に、主軸部３００の回転に伴って移動する袖部４１０ｂに当接して回転する回転部５０が備えられている。
【００４２】
このように構成された折畳座席１では、主軸部３００が下がりきるまでは、突起部５によってテーブル部４００が主軸部３００の軸周りに回転することが規制され、しかも、回転部５０がテーブル部４００に当接して、下方に向かって移動しているテーブル部４００を送っているので、摩擦によって主軸部３００が下方に下がる回転力を規制する力も働かない。そのため、メモ台部２００は主軸部３００が下方に完全に下がるだけの十分なトルクを得ることができる。
【００４３】
また、この折畳座席１では、下がりきるとテーブル部４００は突起部５が当接しなくなるので、バネ４６０によりテーブル部４００を軸回転させて、突起部５により回転が規制された位置から対向位置まで移動させることができる。
【００４４】
従って、本実施形態の折畳座席１を用いると、メモ台部２００をメモ位置から移動位置に起すだけで、テーブル部４００が対向位置に移動するようメモ台部２００を確実に移動させることができる。
【００４５】
以上本発明の一実施形態ついて説明したが、本発明はこの実施形態に何等限定されるものではなく、本発明の要旨を逸脱しない範囲において、種々なる態様で実施し得ることは勿論である。
【００４６】
尚、本実施形態の磁石３は、本願発明の第１磁着部に、鉄板７が第２磁着部に相当する。
【図面の簡単な説明】
【００４７】
【図１】本実施形態の移動観覧座席に複数段設けられた折畳座席のうち、ある一段の折畳座席の説明図であって、（ａ）は折畳座席の平面図、（ｂ）は前方から見た正面図である。
【図２】本実施形態のメモ台部の分解斜視図である。
【図３】移動観覧座席の側面図であって、（ａ）は引き出した直後の様子を示しており、（ｂ）は完全に引き出した様子を示している。
【図４】従来の移動観覧座席に複数段設けられた折畳座席のうち、ある一段の折畳座席の説明図であって、（ａ）は折畳座席の平面図、（ｂ）は前方から見た正面図である。
【図５】使用時の折畳座席の右方向からみた側面図であり、メモ台部が移動する様子を説明する説明図である。
【図６】従来のメモ台部の分解斜視図である。
【符号の説明】
【００４８】
１…折畳座席、３…磁石、５…突起部、７…鉄板、５０…回転部、１００…移動観覧座席、１１０…伸縮台車、１２０…台座、１２１…土台部、１３０…折畳座席、１３１…カマチ、１３１ａ…磁石、１４０…座席部、１４１…座部、１４２…背もたれ部、１５０…イスフレーム、１５１…本体部、１５２…アーム部、１５３…肘掛部、２００…メモ台部、３００…主軸部、３０１…メモ板ブラケット、３０１ａ…取付部、３０１ｂ…把持部、３０２…ベースプレート、３０３…メモ板ステー、３０３ａ…摺動面、３０３ｂ…辺、３０３ｃ…軸受筒部、３０３ｄ…ストッパ、３０４…管座、３０４ｄ…ストッパー、３０５…ブレードシャフト、３０５ａ…本体部、３０５ｂ…座部、３０６…ロータリーダンパー、３０７…ダンパーカバー、４００…テーブル部、４１０…本体部、４１０ａ…メモ板本体、４１０ｂ…袖部、４１０ｃ…辺、４２０ａ…第１軸受筒部、４２０ｂ…第２軸受筒部、４３０…補強材、４４０…鉄板、４５０…軸、４６０…バネ部、４７０ａ…キャップ、４８０…ネジ
【図１】
2005204737.tif 000003
【図２】
2005204737.tif 000004
【図３】
2005204737.tif 000005
【図４】
2005204737.tif 000006
【図５】
2005204737.tif 000007
【図６】
2005204737.tif 000008